(57)【要約】【課題】脱着を容易に行うこと。【解決手段】中継コネクタ１３のハウジング２０は、機器ケース１１の取付孔１１Ｘに配設される固定部２１と、固定部２１から機器ケース１１の外側に突出する外側フード部２２と、固定部２１から機器ケース１１の内側に配設される内側フード部２３とを有している。固定部２１は、内側端部２１ｃに、取付孔１１Ｘの径よりも大きい外径の内側係合部２１ｄを有し、外側フード部２２側にリテーナ装着部２４が全周に亘って形成されている。また、固定部２１は、内側係合部２１ｄとリテーナ装着部２４との間に、シールリング装着溝２１ｂを有している。【選択図】図３
2018107019.tif 000002
【特許請求の範囲】
【請求項１】
機器ケースの取付孔に前記機器ケースの内側から取り付けられるコネクタであって、
ハウジングと、前記ハウジングに装着される一対のリテーナと、を有し、
前記ハウジングは、
前記取付孔に配設される固定部と、
前記固定部から前記機器ケースの外側に突出する外側フード部と、
前記固定部から前記機器ケースの内側に突出する内側フード部と、
を有し、
前記固定部は、前記内側フード部側に配設され、前記取付孔の内径よりも大きな外径に形成された内側係合部を有し、
前記外側フード部は、前記固定部側の端部に形成され、前記一対のリテーナが装着されるリテーナ装着部を有すること、
を特徴とする中継コネクタ。
【請求項２】
前記一対のリテーナは、先端に前記一対のリテーナを互いに結合する結合部を有すること、を特徴とする請求項１に記載の中継コネクタ。
【請求項３】
前記一対のリテーナはそれぞれ、前記外側フード部に挿入されるコネクタ部のロック部と係合して前記コネクタ部を抜け止めするロック部を有することを特徴とする請求項１又は２に記載の中継コネクタ。
【請求項４】
前記一対のリテーナは、互いに同じ形状に形成されてなることを特徴とする請求項１〜３のいずれか一項に記載の中継コネクタ。
【請求項５】
前記固定部は、前記内側係合部より前記外側フード部側に配設され、前記固定部の外周面の全周に亘って形成され、シールリングが装着されるシールリング装着溝を有することを特徴とする請求項１〜４のいずれか一項に記載の中継コネクタ。
【発明の詳細な説明】
【技術分野】
【０００１】
本発明は、中継コネクタに関する。
【背景技術】
【０００２】
従来、車両用のコネクタとしては、例えばトランスミッションケース等のオイルが収容される機器ケースに取り付けられて、機器ケースの内部に配置されている電気機器と機器ケースの外部の制御回路等とを接続するための中継コネクタが知られている（例えば、特許文献１参照）。中継コネクタは、例えばボルトにより機器ケースに固定される。
【先行技術文献】
【特許文献】
【０００３】
【特許文献１】特開２０１２−２５６４７４号公報
【発明の概要】
【発明が解決しようとする課題】
【０００４】
ところで、上記のような中継コネクタには、機器ケースの内部から、先端の外部接続部が機器ケースの外部へと突出するように固定されるものがある。このような中継コネクタは、機器ケースの内部において、ボルトにより機器ケースに固定される。このため、中継コネクタの脱着に手間がかかるという問題がある。例えば、修理等のときに挿入する工具のための隙間が必要であり、中継コネクタを外すのに手間がかかる。また、修理後に中継コネクタを取り付けるのに手間がかかる。
【０００５】
本発明は上記問題点を解決するためになされたものであって、その目的は、脱着が容易な中継コネクタを提供することにある。
【課題を解決するための手段】
【０００６】
上記課題を解決する中継コネクタは、機器ケースの取付孔に前記機器ケースの内側から取り付けられるコネクタであって、ハウジングと、前記ハウジングに装着される一対のリテーナと、を有し、前記ハウジングは、前記取付孔に配設される固定部と、前記固定部から前記機器ケースの外側に突出する外側フード部と、前記固定部から前記機器ケースの内側に突出する内側フード部と、を有し、前記固定部は、前記内側フード部側に配設され、前記取付孔の内径よりも大きな外径に形成された内側係合部を有し、前記外側フード部は、前記固定部側の端部に形成され、前記一対のリテーナが装着されるリテーナ装着部を有する。
【０００７】
この構成によれば、中継コネクタのハウジングは、機器ケースの内側から機器ケースの外側に向かって取付孔に挿入される。ハウジングの固定部は、取付孔よりも大きい外形の内側係合部を有している。この内側係合部が機器ケースの取付孔の内側端部に当接してハウジングが位置決めされる。外側フード部の固定部側端部には、リテーナ装着部が形成されている。このリテーナ装着部に装着される一対のリテーナは、機器ケースの外面に当接する。一対のリテーナの当接により、ハウジングが機器ケースの内側に外れることが規制される。このように、機器ケースの外側からハウジングに一対のリテーナを装着することにより、中継コネクタのハウジングが機器ケースに固定される。そして、一対のリテーナをハウジングから外すことで、中継コネクタのハウジングを機器ケースから内側に取り外すことができる。
【０００８】
上記の中継コネクタにおいて、前記一対のリテーナは、先端に前記一対のリテーナを互いに結合する結合部を有することが好ましい。
この構成によれば、一対のリテーナの先端にそれぞれ設けられた結合部を互いに結合することにより、一対のリテーナが中継コネクタのハウジングに固定される。
【０００９】
上記の中継コネクタにおいて、前記一対のリテーナはそれぞれ、前記外側フード部に挿入されるコネクタ部のロック部と係合して前記コネクタ部を抜け止めするロック部を有することが好ましい。
【００１０】
この構成によれば、中継コネクタの外側フード部にコネクタ部を挿入することにより、一対のリテーナのロック部とコネクタ部のロック部とが係合してそのコネクタ部の抜け止めされる。
【００１１】
上記の中継コネクタにおいて、前記一対のリテーナは、互いに同じ形状に形成されてなることが好ましい。
この構成によれば、１種類の形状のリテーナを用意すればよく、一対のリテーナを互いに別形状とするものと比べ、部品を用意する手間や、部品を管理する手間が低減される。
【００１２】
上記の中継コネクタにおいて、前記固定部は、前記内側係合部より前記外側フード部側に配設され、前記固定部の外周面の全周に亘って形成され、シールリングが装着されるシールリング装着溝を有することが好ましい。
【００１３】
この構成によれば、シールリング装着溝に装着されるシールリングにより、中継コネクタが機器ケースの取付孔に対して液密に嵌着される。
【発明の効果】
【００１４】
本発明の中継コネクタによれば、脱着を容易に行うことができる。
【図面の簡単な説明】
【００１５】
【図１】中継コネクタが配設される機器ケースと制御ユニットを示す概略図。
【図２】機器ケースに取着された中継コネクタと制御ユニットのコネクタ部とを示す概略側面図。
【図３】機器ケースの取付孔と中継コネクタと制御ユニットのコネクタ部とを示す分解斜視図。
【図４】（ａ）は機器ケースに取着された中継コネクタを機器ケースの外側から視た斜視図、（ｂ）は機器ケースに取着された中継コネクタを機器ケースの内側から視た斜視図。
【発明を実施するための形態】
【００１６】
以下、各形態を説明する。
なお、添付図面は、理解を容易にするために構成要素を拡大して示している場合がある。構成要素の寸法比率は実際のものと、または別の図面中のものと異なる場合がある。
【００１７】
図１に示すように、対象物としての機器ケース１１の上部に、制御ユニット１２が例えばネジ等により固定されている。機器ケース１１は、例えばトランスミッションケースであり、内部にモータやセンサ等の電気部品が配設されている。制御ユニット１２には機器ケース１１内に配設された電機部品と接続される制御回路等が収容されている。機器ケース１１には中継コネクタ１３が配設されている。制御回路等は、中継コネクタ１３を介して機器ケース１１内の電気部品と接続される。
【００１８】
図２に示すように、機器ケース１１は、取付孔１１Ｘを有している。中継コネクタ１３は、取付孔１１Ｘに嵌合可能に形成されている。
中継コネクタ１３は、ハウジング２０と、ハウジング２０に支持された複数の端子３１と、取付孔１１Ｘに対して液密にシールするためのシールリング３２と、ハウジング２０を固定するための一対のリテーナ４０ａ，４０ｂとを有している。ハウジング２０は、例えば合成樹脂製である。複数の端子３１は、例えば金属製である。リテーナ４０ａ，４０ｂは、例えば合成樹脂製である。
【００１９】
ハウジング２０は、機器ケース１１の取付孔１１Ｘに配設される固定部２１と、固定部２１の上方（機器ケース１１の外側）に形成された外側フード部２２と、固定部２１の下方（機器ケース１１の内側）に形成された内側フード部２３とを有している。
【００２０】
図４（ａ）に示すように、外側フード部２２は、略矩形の筒状に形成されている。図４（ｂ）に示すように、内側フード部２３は、略矩形の筒状に形成されている。
図３に示すように、固定部２１には複数の端子３１が貫通支持されている。図４（ａ）に示すように、端子３１の一方の端部３１ａは外側フード部２２内に突出している。また、図４（ｂ）に示すように、端子３１の他方の端部３１ｂは、内側フード部２３内に突出している。
【００２１】
図２及び図３に示すように、固定部２１は、概略円柱状に形成されている。
図２に示すように、固定部２１の外周面２１ａには、全周に亘ってシールリング装着溝２１ｂが形成されている。シールリング装着溝２１ｂには、シールリング３２が配設されている。シールリング３２は、例えばゴム製である。ハウジング２０（固定部２１）は、シールリング３２により、取付孔１１Ｘに対して液密に嵌着されている。
【００２２】
図２に示すように、固定部２１の内側端部２１ｃには、径方向外側に向かって延びる内側係合部２１ｄが形成されている。内側係合部２１ｄの外形円形状に形成され、その大きさ（直径）は、取付孔１１Ｘの内径（直径）よりも大きく設定されている。内側係合部２１ｄの外側側面２１ｅは、外側フード部２２に向かうに連れて径が小さくなるテーパ状に形成されている。
【００２３】
従って、内側係合部２１ｄは、機器ケース１１の取付孔１１Ｘにその機器ケース１１の内側から挿入された中継コネクタ１３において、内側係合部２１ｄの外側側面２１ｅは、取付孔１１Ｘの内側端部に係合する。この内側係合部２１ｄの係合により、固定部２１が取付孔１１Ｘに配設される。
【００２４】
図２及び図３に示すように、外側フード部２２の外側面には、固定部２１側の端部にリテーナ装着部２４が突設されている。リテーナ装着部２４は、外側フード部２２の周面の全周に亘って形成されている。リテーナ装着部２４は、外側フード部２２の外周面から外側に向かって凸状に形成されている。リテーナ装着部２４は、外形が略円形状に形成されている。また、リテーナ装着部２４には、平面視において、対向する一対の規制面２４ａ，２４ｂが形成されている。規制面２４ａ，２４ｂは、平面状に形成されている。なお、図３では、一方の規制面２４ａが示されている。
【００２５】
リテーナ装着部２４には、一対のリテーナ４０ａ，４０ｂが装着される。
図３に示すように、一対のリテーナ４０ａ，４０ｂは、互いに同形状に形成されている。
【００２６】
リテーナ４０ａは、平面視において、コ字状に形成されている。リテーナ４０ａは、上述のリテーナ装着部２４を側方から覆うように形成されている。リテーナ４０ａの一方の端部には、第１係合部４１ａが形成され、リテーナ４０ａの他方の端部には第２係合部４２ａが形成されている。そして、リテーナ４０ａは、略中央部分に、ロック部４３ａが立設されている。
【００２７】
リテーナ４０ｂは、リテーナ４０ａと同様に形成されている。つまり、リテーナ４０ｂは、平面視において、コ字状に形成されている。リテーナ４０ｂは、上述のリテーナ装着部２４を側方から覆うように形成されている。リテーナ４０ｂの一方の端部には、第１係合部４１ｂが形成され、リテーナ４０ｂの他方の端部には第２係合部４２ｂが形成されている。そして、リテーナ４０ｂは、略中央部分に、ロック部４３ｂが立設されている。
【００２８】
上述のように、一対のリテーナ４０ａ，４０ｂは、それぞれ第１係合部４１ａ，４１ｂと第２係合部４２ａ，４２ｂを有している。
第１係合部４１ａ，４１ｂは、それぞれ第２係合部４２ａ，４２ｂと係合可能に形成されている。つまり、一方のリテーナ４０ａの第１係合部４１ａは、他方のリテーナ４０ｂの第２係合部４２ｂと係合可能に形成されている。そして、一方のリテーナ４０ａの第２係合部４２ａは、他方のリテーナ４０ｂの第１係合部４１ｂと係合可能に形成されている。
【００２９】
図２に示すように、一対のリテーナ４０ａ，４０ｂは、第１係合部４１ａと第２係合部４２ｂとが互いに係合することで、外側フード部２２のリテーナ装着部２４を囲むように固定される。図２にでは示されないが、図３に示すリテーナ４０ａの第２係合部４２ｂとリテーナ４０ｂの第１係合部４１ｂとが互いに係合する。
【００３０】
リテーナ装着部２４に装着されたリテーナ４０ａ，４０ｂは、機器ケース１１の外面１１ａに当接する。リテーナ４０ａ，４０ｂの当接により、ハウジング２０が取付孔１１Ｘから機器ケース１１の内側へ外れることが規制されている。
【００３１】
図２及び図３に示すように、リテーナ装着部２４には、一対の規制面２４ａ，２４ｂが形成されている。これらの規制面２４ａ，２４ｂは、装着されたリテーナ４０ａ，４０ｂと係合し、リテーナ４０ａ，４０ｂの周方向の位置を規制する。リテーナ４０ａ，４０ｂの位置は、この中継コネクタ１３に挿入される制御ユニット１２に対応している。
【００３２】
図２に示すように、外側フード部２２には、制御ユニット１２のコネクタ部５１が挿入される。なお、図２及び図３では、制御ユニット１２を、コネクタ部５１に対応する部分（図では矩形板状の部分）のみを示している。コネクタ部５１には、複数の雌型端子（図示略）が配設され、それらの雌型端子は中継コネクタ１３の端子３１と接続される。
【００３３】
図３に示すように、外側フード部２２には、複数（本実施形態では３つ）のリブ案内溝２２ａが外側フード部２２の内側から外側フード部２２の外側に向かって凹設されている。リブ案内溝２２ａは、中継コネクタ１３の上下方向に沿って延びるように形成されている。なお、中継コネクタ１３の上下方向は、中継コネクタ１３に対するコネクタ部５１の挿抜方向となる。つまり、リブ案内溝２２ａは、コネクタ部５１の挿抜方向に沿って延びるように形成されている。
【００３４】
これらのリブ案内溝２２ａには、コネクタ部５１の外側面に形成されたリブ５１ａが挿入される。なお、図２及び図３ではそれぞれ２つのリブ５１ａが示されている。
図２に示すように、制御ユニット１２は、コネクタ部５１を挟んで対向する一対のユニット側ロック部５２ａ，５２ｂを有している。ユニット側ロック部５２ａ，５２ｂは、リテーナ４０ａ，４０ｂに設けられたロック部４３ａ，４３ｂと係合する。これらの係合により、中継コネクタ１３からコネクタ部５１が外れることが規制されている。なお、図２では、ユニット側ロック部５２ａ，５２ｂとリテーナ４０ａ，４０ｂのロック部４３ａ，４３ｂとの係合状態を判り易くするため、一部を断面にて示している。
【００３５】
次に、上述の中継コネクタ１３の作用を説明する。
図２に示すように、中継コネクタ１３のハウジング２０は、機器ケース１１の取付孔１１Ｘに配設される固定部２１と、固定部２１から機器ケース１１の外側に突出する外側フード部２２と、固定部２１から機器ケース１１の内側に配設される内側フード部２３とを有している。固定部２１は、内側端部２１ｃに、取付孔１１Ｘの径よりも大きい外径の内側係合部２１ｄを有している。外側フード部２２は、リテーナ装着部２４が全周に亘って形成されている。また、固定部２１は、内側係合部２１ｄとリテーナ装着部２４との間に、シールリング装着溝２１ｂを有している。
【００３６】
中継コネクタ１３のハウジング２０は、機器ケース１１の内側から機器ケース１１の外側に向かって取付孔１１Ｘに挿入される。ハウジング２０の固定部２１は、取付孔１１Ｘよりも大きい外形の内側係合部２１ｄを有している。この内側係合部２１ｄが機器ケース１１の取付孔１１Ｘの内側端部に当接してハウジング２０が位置決めされる。固定部２１は、機器ケース１１から突出する外側フード部２２側にリテーナ装着部２４を有している。このリテーナ装着部２４に装着されるリテーナ４０ａ，４０ｂは、機器ケース１１の外面１１ａに当接する。リテーナ４０ａ，４０ｂの当接により、ハウジング２０が機器ケース１１の内側に外れることが規制される。このように、機器ケース１１の外側からハウジング２０にリテーナ４０ａ，４０ｂを装着することにより、ハウジング２０が機器ケース１１に固定される。
【００３７】
リテーナ４０ａ，４０ｂは、ロック部４３ａ，４３ｂを有している。これらロック部４３ａ，４３ｂには、制御ユニット１２のコネクタ部５１を中継コネクタ１３の外側フード部２２に挿入することで、制御ユニット１２のユニット側ロック部５２ａ，５２ｂが係合される。詳述すると、リテーナ装着部２４の規制面２４ａ，２４ｂによりリテーナ４０ａ，４０ｂが外側フード部２２に対して位置決めされる。そして、コネクタ部５１に形成されたリブ５１ａを、外側フード部２２に形成されたリブ案内溝２２ａに挿入する。これにより、リテーナ４０ａ，４０ｂのロック部４３ａ，４３ｂと、制御ユニット１２のユニット側ロック部５２ａ，５２ｂと、が互いに対応する位置となり、係合する。このように、中継コネクタ１３に制御ユニット１２のコネクタ部５１を挿入することで、中継コネクタ１３と制御ユニット１２（コネクタ部５１）とが連結され、抜け止めされる。そして、ロック部４３ａ，４３ｂとユニット側ロック部５２ａ，５２ｂの係合を解除することにより、中継コネクタ１３から制御ユニット１２のコネクタ部５１を取り外すことができる。
【００３８】
リテーナ４０ａ，４０ｂは、それぞれ第１係合部４１ａ，４１ｂと第２係合部４２ａ，４２ｂを有している。一方のリテーナ４０ａの第１係合部４１ａは、他方のリテーナ４０ｂの第２係合部４２ｂと係合している。また、一方のリテーナ４０ａの第２係合部４２ａは、他方のリテーナ４０ｂの第１係合部４１ｂと係合している。第１係合部４１ａ，４１ｂと第２係合部４２ｂ，４２ａの係合を解除することで、リテーナ４０ａ，４０ｂをハウジング２０から取り外すことができる。そして、リテーナ４０ａ，４０ｂをハウジング２０から外すことで、ハウジング２０を機器ケース１１の取付孔１１Ｘから内側に取り外すことができる。
【００３９】
以上記述したように、本実施形態によれば、以下の効果を奏する。
（１）中継コネクタ１３のハウジング２０は、機器ケース１１の取付孔１１Ｘに配設される固定部２１と、固定部２１から機器ケース１１の外側に突出する外側フード部２２と、固定部２１から機器ケース１１の内側に配設される内側フード部２３とを有している。固定部２１は、内側端部２１ｃに、取付孔１１Ｘの径よりも大きい外径の内側係合部２１ｄを有し、外側フード部２２側にリテーナ装着部２４が全周に亘って形成されている。また、固定部２１は、内側係合部２１ｄとリテーナ装着部２４との間に、シールリング装着溝２１ｂを有している。
【００４０】
従って、中継コネクタ１３は、ハウジング２０の固定部２１に形成されたリテーナ装着部２４に対してリテーナ４０ａ，４０ｂを装着することで、中継コネクタ１３を機器ケース１１に取り付けることができる。また、リテーナ４０ａ，４０ｂを取り外すことで、中継コネクタ１３を機器ケース１１の取付孔１１Ｘから取り外すことができる。このように、リテーナ４０ａ，４０ｂによって、中継コネクタ１３の脱着を容易に行うことができる。
【００４１】
（２）固定部２１のリテーナ装着部２４に装着されたリテーナ４０ａ，４０ｂは、機器ケース１１の外面１１ａに当接する。つまり、機器ケース１１の外側から中継コネクタ１３にリテーナ４０ａ，４０ｂを装着することで、中継コネクタ１３を機器ケース１１に取り付けることができる。また、リテーナ４０ａ，４０ｂを工具によって拡径することで、リテーナ４０ａ，４０ｂをハウジング２０から取り外し、中継コネクタ１３を機器ケース１１から取り外すことができる。このように、機器ケース１１の外側における作業によって中継コネクタ１３の脱着を行うことができる。このため、機器ケース１１の内側に工具等を挿入するスペースを必要としないため、機器ケース１１の小型化を図ることができる。
【００４２】
（３）一対のリテーナ４０ａ，４０ｂは、それぞれロック部４３ａ，４３ｂを有している。制御ユニット１２は、コネクタ部５１を挟んで対向するユニット側ロック部５２ａ，５２ｂを有している。
【００４３】
（４）一対のリテーナ４０ａ，４０ｂは、互いに同じ形状に形成されている。このため、１種類の形状のリテーナを用意すればよく、リテーナ４０ａ，４０ｂを別々の形状とするものと比べ、部品を用意する手間や、部品を管理する手間を低減することができる。
【００４４】
尚、上記実施形態は、以下の態様で実施してもよい。
・上記実施形態に対し、一対のリテーナ４０ａ，４０ｂの形状を互いに異なるものとしてもよい。例えば、一方のリテーナの両端に第１係合部を形成し、他方のリテーナの両端に第２係合部を形成する。
【００４５】
・上記実施形態では、液密を必要とする機器ケース１１に取り付けられる中継コネクタ１３としたが、液密を必要としない機器ケースに取り付けられる中継コネクタとしてもよい。この場合、シールリング３２を必要としないため、固定部２１のシールリング装着溝２１ｂを省略することができる。
【符号の説明】
【００４６】
１１…機器ケース、１１Ｘ…取付孔、１２…制御ユニット、１３…中継コネクタ、２０…ハウジング、２１…固定部、２２…外側フード部、２３…内側フード部、３１…端子、３２…シールリング、４０ａ，４０ｂ…リテーナ、４３ａ，４３ｂ…ロック部、５２ａ，５２ｂ…ユニット側ロック部。
【図１】
2018107019.tif 000003
【図２】
2018107019.tif 000004
【図３】
2018107019.tif 000005
【図４】
2018107019.tif 000006